(57)【特許請求の範囲】
【請求項１】
複数の長尺ブリスルと長尺ブリスルよりも丈の短い複数の短ブリスルとを有するブラシ体を備えたヘアーセッターであって、ブラシ体には外面に突出する断面円弧状のブリスル台が設けられ、短ブリスル連結基台を、ブリスル台の両側端部において最も側方に配置された長尺ブリスル列と、前記長尺ブリスル列のすぐ内側に配置された長尺ブリスル列との間に、ブリスル台の表面よりも突出するように配置し、前記短ブリスル連結基台から突出して形成した軟質材料で構成した短ブリスルを、その先端がブリスル台の円弧状の表面の頂上における接線よりも突出すると共に、隣接する短ブリスル同士が千鳥状になるように配列したことを特徴とするヘアーセッター。
【請求項２】
短ブリスルの設けられた位置におけるブリスル台の円弧状の表面に対する接線とブリスル台の円弧状の表面の頂上における接線との間の交差する角度が鋭角であることを特徴とする請求項１に記載のヘアーセッター。
【請求項３】
複数個の長尺ブリスルが並んだ長尺ブリスル列と複数個の短ブリスルが並んだ短ブリスル列をブリスル台に設け、短ブリスル列の短ブリスル間のピッチを上記長尺ブリスル列の長尺ブリスル間のピッチよりも小さいピッチにしたことを特徴とする請求項１に記載のヘアーセッター。
【請求項４】
短ブリスル列をブリスル台の円弧状の表面の頂上を境にしてブリスル台の断面円弧上において対称位置となるようにブリスル台に設けたことを特徴とする請求項３に記載のヘアーセッター。
【請求項５】
ブラシ体とグリップ体とを具備し、グリップ体に送風手段を設けて中空断面を持たせたブラシ体と連結させてブラシ体の外面に設けたブリスル台にブラシ体の中空部と繋がる吹出し孔を設けて、グリップ体から送風された風を上記吹出し孔から吐出させることを特徴とする請求項１乃至４のいずれかに記載のヘアーセッター。
【発明の詳細な説明】
【０００１】
【発明の属する技術分野】
本発明は、毛髪にカール付け等の整髪を行うヘアーセッターに関するものである。
【０００２】
【従来の技術】
従来における毛髪１３にカール付け等の整髪を行うヘアーカール器やヘアーブラシ等のヘアーセッターとしては、例えば図１４に示されるようなものがある。このヘアーセッターはグリップ体１１’と、このグリップ体１１’の一端に着脱自在に装着されるブラシ体３’とから構成されている。
【０００３】
グリップ体１１’にはブラシ体３’が装着される一端とは反対側の他端に空気吸込口１４’を有しており、グリップ体１１’のハウジングに設けられた操作スイッチ１５’を操作することにより、グリップ体１１’の内部に収納された送風装置及びヒーターが駆動され、空気吸込口１４’から吸い込まれた空気が加熱されて温風が発生し、この温風がブラシ体３’に送られるものである。
【０００４】
ブラシ体３’は断面中空の構造を有しており、上記ブラシ体３’の外面にはブリスル台４’が設けてあり、上記ブリスル台４’には長尺ブリスル１’を複数個一列状に並べて構成される長尺ブリスル列７’を突出させるように複数配列して設けてある。また上記ブリスル台４’表面にはブラシ体３’の中空部に繋がる吹出し孔１２’が設けてあり、上記グリップ体１１’から送られた温風が上記吹出し孔１２’から吐出することになる。
【０００５】
このヘアーセッターを用いるにあたっては図１５に示されるように、長尺ブリスル１’を毛髪１３’の間に差し入れて毛髪１３’を所望の形状に保持し、この状態で送風装置及びヒーターを駆動させてブリスル台４’表面に設けられた吹出し孔１２’から温風を吐出することにより毛髪１３’を整髪するものであった。
【０００６】
【発明が解決しようとする課題】
しかし、上記のような従来のヘアセッターでは、長尺ブリスル１’を毛髪１３’の間に差し入れて毛髪１３’を所望のカール形状に保持しようとしても、毛先が長尺ブリスル１’の間から抜け出てしまうものであって、毛先には長尺ブリスル１’からわずかなテンションしか与えることはできず、そのため毛髪１３を所望の形状に整髪することは困難であった。
【０００７】
本発明は上記の点に鑑みてなされたものであり、毛髪に毛先まで適度なテンションをかけることができ、容易にカール付け等の整髪を行うことができるヘアーセッターを提供することを課題とするものである。
【０００８】
【課題を解決するための手段】
上記課題を解決するために本発明の請求項１に係るヘアセッターは、複数の長尺ブリスル１と長尺ブリスル１よりも丈の短い複数の短ブリスル２とを有するブラシ体３を備えたヘアーセッターであって、ブラシ体３には外面に突出する断面円弧状のブリスル台４が設けられ、短ブリスル連結基台９を、ブリスル台４の両側端部において最も側方に配置された長尺ブリスル列７と、前記長尺ブリスル列７のすぐ内側に配置された長尺ブリスル列７との間に、ブリスル台４の表面よりも突出するように配置し、前記短ブリスル連結基台９から突出して形成した軟質材料で構成した短ブリスル２を、その先端がブリスル台４の円弧状の表面の頂上１０における接線５よりも突出すると共に、隣接する短ブリスル２同士が千鳥状になるように配列したことを特徴とするものである。これによりブラシ外に通り抜けようとする毛先を短ブリスル２により確実に捕らえることができるものである。また、毛髪１３と直交する方向に対する短ブリスル２の見掛け上の間隔Ｐを小さくして密集度を大きくし、毛髪１３に短ブリスル２にて効果的にテンションをかけることができるものである。また短ブリスル２の先端を所定の高さまで至らせるために短ブリスル２自体の長さを極力延長することを避けることができ、短ブリスル２の長さの延長に伴う耐久性の低下等を避けることができる。
【０００９】
また、本発明の請求項２に係るヘアーセッターは、請求項１の構成に加えて、短ブリスル２の設けられた位置におけるブリスル台４の円弧状の表面に対する接線６とブリスル台４の円弧状の表面の頂上１０における接線５との間の交差する角度θが鋭角であることを特徴とするものである。これにより確実に短ブリスル２の先端をブリスル台４の円弧状の表面の頂上１０における接線５よりも突出させることができるものである。
【００１０】
また、本発明の請求項３に係るヘアーセッターは、請求項１の構成に加えて、複数個の長尺ブリスル１が並んだ長尺ブリスル列７と複数個の短ブリスル２が並んだ短ブリスル列８をブリスル台４に設け、短ブリスル列８の短ブリスル２間のピッチＰ２を上記の長尺ブリスル列７の長尺ブリスル１間のピッチＰ１よりも小さいピッチにしたことを特徴とするものである。これにより短ブリスル２同士間の狭い隙間２９で挟み込むことで、捕らえた毛髪１３を保持することができ、毛髪１３に適度なテンションをかけて所望の形状に保持することにより毛髪１３を所望の形状に容易に整髪することができるものである。
【００１２】
また、本発明の請求項４に係るヘアーセッターは、請求項３の構成に加えて、短ブリスル列８をブリスル台４の円弧状の表面の頂上１０を境にしてブリスル台４の断面円弧上において対称位置となるようにブリスル台４に設けたことを特徴とするものである。これにより整髪をする際に毛髪１３の導入方向に関係なく毛髪１３を確実に捕らえて保持することができるものである。
【００１３】
また、本発明の請求項５に係るヘアーセッターは、請求項１乃至４のいずれかの構成に加えて、ブラシ体３とグリップ体１１とを具備し、グリップ体１１に送風手段を設けて中空断面を持たせたブラシ体３と連結させてブラシ体３の外面に設けたブリスル台４にブラシ体３の中空部１６と繋がる吹出し孔１２を設けて、グリップ体１１から送風された風を上記吹出し孔１２から吐出させることを特徴とするものである。これにより毛髪１３に向けて温風等を吹き掛けることができ、適度なテンションをかけて所望の形状に固定して更に効果的な整髪ができるものである。
【００１４】
【発明の実施の形態】
以下、本発明を添付図面に示す実施形態に基づいて説明する。
【００１５】
図１乃至１１に本発明の第一の実施の形態を示す。このヘアーセッターは、図２に示すように、その長手方向の一端側がブラシ体３、他端側がグリップ体１１にて構成されている。グリップ体１１の長手方向の一端にはブラシ体３が着脱自在に装着されるブラシ装着部１７が形成されている。またグリップ体１１の他端を構成する端部ハウジング１８には、グリップ体１１の内部に連通するメッシュ状の空気吸込口１４が設けられ、またこの端部ハウジング１８には、電源コード１９が接続されている。またグリップ体１１のハウジングの側面には、グリップ体１１の内部に収容された送風装置及びヒータを作動させる操作スイッチ２０が設けられている。ここで操作スイッチ２０を操作すると、グリップ体１１内の送風装置は空気吸込口１４から空気を吸引してこの空気をブラシ体３まで送るものであり、このとき空気はヒーターによって加熱されて温風として送られるものである。
【００１６】
ブラシ体３の外装はブリスル台４とブラシ外郭部２１とから構成される。ブラシ外郭部２１の内面側にはブリスル台保持枠２２の左右両端が保持されて取り付けられている。ブリスル台４はその左右両端に形成されたブリスル台フック２３がブリスル台４の左右両端のブラシ外郭部２１に形成されたブリスル台固定部２４に嵌合されることによりブラシ外郭部２１に取り付けられており、このときブリスル台４は内面においてブリスル台保持枠２２に保持されているものである。このブラシ外郭部２１とブリスル台４に囲まれた中空部１６は、グリップ体１１からブラシ体３に送られた空気が流通する空気流路２５として形成されている。ここでブリスル台４は外方に向けて突出する円弧形状に形成されており、ポリエステルエラストマー等の合成樹脂にて形成され、若干の弾性を有している。
【００１７】
またブリスル台４には複数のブリスル１，２及び吹出し孔１２が設けられている。ブリスル１、２はブリスル台４から突出して形成されており、丈の長い長尺ブリスル１と、この長尺ブリスル１よりも丈の短い短ブリスル２とが設けられている。例えば短ブリスル２の丈は長尺ブリスル１の丈の半分程度とし、長尺ブリスル１の丈寸法を１３ｍｍに、短ブリスル２の丈寸法を６ｍｍに形成するものである。また、この長尺ブリスル１はポリブチレンテレフタレート（ＰＢＴ）等の合成樹脂で、短ブリスル２はポリエステルエラストマー等の合成樹脂にてそれぞれ形成されている。共に可撓性を有する材料であるが、短ブリスル２の方が軟質の材料にしてある。
【００１８】
長尺ブリスル１はブリスル台４の略全面に亘って、複数個形成されている。この長尺ブリスル１はヘアーセッターの長手方向に沿って一列状に等間隔に並んで配置されている。本実施の形態の一例としては、この長尺ブリスル１を長尺ブリスル１の根本側の端部にて径の大きい長尺ブリスル連結部３０を介して一列状に連接させて長尺ブリスル列７としている。そして長尺ブリスル連結部３０はブリスル台４の内方に位置させて、ブリスル台４の内面側より外部に突出させるように長尺ブリスル１はブリスル台４を貫通して設けられているので、長尺ブリスル連結部３０がブリスル台４に係止されることにより抜け止めの役割も担うものである。
【００１９】
短ブリスル連結基台９は図４（ａ）に示すように、複数個の短ブリスル２が千鳥状に配列するようになっており、短ブリスル列８の列方向と直交する方向からの側面視においては図４（ｂ）に示すように、ある一つの短ブリスル列８を構成する短ブリスル２が、この短ブリスル２と隣接する他の短ブリスル列８を構成する短ブリスル２の間にあるように配置されている。しかも短ブリスル列８において隣り合う短ブリスル２同士の間隔が、短ブリスル連結基台９全体に亘って略同一の間隔となるように形成されているものである。例えば、図５（ａ）に示すように、短ブリスル列８内における隣り合う短ブリスル２同士のピッチをＰ２、短ブリスル列８と直交する方向からの側面視における短ブリスル２間の見掛け上のピッチをＰとすると、Ｐ＝１／２Ｐ２としている。このように短ブリスル２間の見掛け上の間隔Ｐを小さくすることにより毛髪１３と直交する方向に対する短ブリスル２の密集度を大きくし、毛髪１３に短ブリスル２にて更に効果的にテンションをかけることができるものである。
【００２０】
また、上記の短ブリスル連結基台９は図１に示すように長尺ブリスル列7の間に隣接して配置され、短ブリスル連結基台９に隣接する長尺ブリスル列7のブリスル台４の内側に位置する長尺ブリスル連結部３０に抜け止め板２６を係止させ、ブリスル台４に貫通させて装着されている。また、図６に示すように、複数個の短ブリスル２が一列状に並んだ短ブリスル列８をヘアーセッターの長手方向に沿って（すなわち長尺ブリスル列７の列方向に沿って）三列設けて短ブリスルブロック３１が構成される。ここでは、短ブリスルブロック３１は図２に示すように、ブリスル台４の両側端部において最も側方に配置された長尺ブリスル列７と、そのすぐ内側に配置された長尺ブリスル列７との間に隣接して設けられ、また、本実施の形態の例では長手方向に一列状に３ブロックずつ設けられている。上記のように短ブリスルブロック３１を設けることで長尺ブリスル１で捕らえた毛髪１３は必ず短ブリスル２を通過することになるものである。
【００２１】
また、上記の短ブリスル連結基台９をブリスル台４の表面よりも突出するように設けることも好ましく、これにより短ブリスル２の先端を所定の高さまで至らせるために短ブリスル２自体の長さを極力延長することを避けることができ、短ブリスル２の長さの延長に伴う耐久性の低下等を避けることができる。上記の突出量は図１にてＬ２で示してある。
【００２２】
上記の短ブリスル２は図１に示すように、ブリスル台４に設けられた短ブリスル連結基台９から突出して形成されており、上記短ブリスル２の先端はブリスル台４の円弧状の表面の頂上１０における接線５よりも突出させるように設けてある。上記突出量は図１にてＬ１で示してある。本実施の形態の一例としては１．８ｍｍの突出量としている。また上記接線５と短ブリスル２の設けられた位置におけるブリスル台４の円弧状の表面に対する接線６との間の交差する角度θは鋭角であるように設けてある。本実施の形態の一例としては上記角度θは３５°としている。
【００２３】
上記の短ブリスル２は細長い略円錐状に形成されており、その先端には凸曲面が形成されている。また短ブリスル２の表面には段差２７が設けられており、短ブリスル２の段差２７よりも根本側の径が先端側の径よりもより大きくなるように形成されている。図７に示されるように段差２７は短ブリスル２の中程に全周に亘って形成され、この段差２７よりも先端側を上ブリスル２ａ、段差よりも下側を下ブリスル２ｂとすると、上ブリスル２ａの下端と下ブリスル２ｂの上端が段差２７において接合された状態となっており、例えば下ブリスル２ｂの上端の径αを０．７６３ｍｍ、上ブリスル２ａの下端の径βを０．７１３ｍｍとするものである。そのため短ブリスル２の根本側の径と先端側の径の差を大きく形成し、径の大きな根本側において短ブリスル２の耐久性を向上することができるものである。また径の小さな先端側において短ブリスル２間の先端側の隙間２９が大きくなって短ブリスル２間に多くの毛髪１３を容易に差し入れることができるようになるものであり、短ブリスル２によって毛髪１３に更に効果的にテンションをかけることができるようになる。この上ブリスル２ａ及び下ブリスル２ｂは、共に先端側に行くに従って径が連続的に小さくなるテーパ部２８として形成されている。
【００２４】
吹出し孔１２は、隣り合う長尺ブリスル列７の間のうち、短ブリスル２が形成されていない部分においてブリスル台４を開口して設けられており、ブリスル台４を内方から外方に貫通してブラシ体３の空気流路２５に連通されている。この吹出し孔１２は長尺ブリスル１列の列方向に沿って長い長穴として形成されている。
【００２５】
このようにして形成されるヘアーセッターを用いて、毛髪１３のカール付けやセット等の整髪を行うにあたっては、長尺ブリスル列７及び短ブリスル列８の列方向が毛髪１３の方向と略直交するようにブラシ体３を配置して、毛髪１３の束を長尺ブリスル１及び短ブリスル２の間に差し入れることによって行われる。毛髪１３の束はまず始めに長尺ブリスル列７の長尺ブリスル１の間に捕らえられ、更に毛髪１３を捕らえた長尺ブリスル１に近接した一方の短ブリスル２まで誘導されて、図８（ａ）に示すように、短ブリスル２間に差し入れられる。このとき短ブリスル２の先端側の径は根本側の径よりも小さくなるように形成されているので、隣り合う短ブリスル２同士の間の隙間２９は先端側がより大きくなり、毛髪１３を短ブリス２ル同士の間に容易に差し入れることができるものであり、短ブリスル２同士の間に差し入れられた毛髪１３は、図８（ｂ）に示すように、短ブリスル２に沿って短ブリスル２同士間の隙間２９が狭い根本側まで誘導されることとなる。ここで短ブリスル２に形成されたテーパ部２８の傾斜によって、毛髪１３がスムーズに誘導されるものである。また短ブリスル２は密接して形成されているので短ブリスル２同士間の隙間２９は根本側では狭くなっており、毛髪１３は根本側において短ブリスル２間に挟み込まれ、毛髪１３に適度なテンションがかけられることとなる。
【００２６】
以上のように毛髪１３は長尺ブリスル１で捕らえられ、短ブリスル２にて保持されるが、この状態でブラシ体３をブリスル台４の円弧の方向に回動させることで更に毛髪１３の毛先を捕らえることができる。ブリスル台４に設けてある一方の短ブリスル２を通り過ぎた毛髪１３は図９に示すようにブリスル台４の円弧状の表面の頂上１０における接線５上の軌道を描くことになるが、ブリスル台４の円弧状の表面の頂上１０における接線５よりも上方に突出させた他方の短ブリスル２の先端によって再び毛髪１３は捕えることができる。毛髪１３は図１０に示すようにブリスル台４の両側端に位置する短ブリスル２を両方通ることでより強固に保持されることになり、毛髪１３の形状が安定して保持されることから毛髪１３を所望の形状に容易に整髪することができるものである。
【００２７】
この状態で操作スイッチ２０を操作して送風装置及びヒータを駆動させると、熱せられた空気が吹出し孔１２から所望の形状に保持された毛髪１３に向けて噴出されるものであり、熱せられた空気によるブローにより毛髪１３の形状を固定して所望のカール付け等の整髪をすることができるものである。また、毛髪１３はまず長尺ブリスル１の間に捕らえられた毛髪１３の束が更に短ブリスル２の間の隙間２９に導入され、図１１に示すように細かい束に分散されるので、この状態で熱せられた空気をブリスル台４の吹出し孔１２より毛髪１３に向けて噴出した場合には、濡れた毛髪１３の乾燥効率が向上するものである。
【００２８】
また、図１２乃至１３は本発明の第二の実施の形態であり、ヘアーブラシとして形成されたヘアーセッターを示すものである。このヘアーブラシは、ブラシ体３の端部から柄部３２を延設して形成されるものである。ブラシ体３には第一の実施の形態におけるものと同様にブリスル台４が形成され、このブリスル４台には長尺ブリスル１及び短ブリスル２が形成されている。長尺ブリスル１は長尺ブリスル１が等間隔に並んだ長尺ブリスル列７を形成して長尺ブリスル連結部において抜け止めがされてブリスル台４にヘアーセッターの長手方向に複数列設けられている。短ブリスル２は第一の実施の形態におけるものと同様に短ブリスル列８を３列隣接させて形成する短ブリスルブロック３１が、ブリスル台４の両側の側部において長尺ブリスル列７の間に挟まれて配している。また、この短ブリスルブロック３１は第一の実施の形態におけるものと同様に短ブリスル連結基台９に設けられた抜け止め板２６により長尺ブリスル連結部３０とブリスル台４により係止されている。ただし、この実施の形態の例では短ブリスルブロックはブリスル台４の長手方向の略全長に亘って設けてある点が異なっている。また、この実施の形態の例はヘアーブラシであるため、ブリスル台４に吹出し孔１２が形成されていない点も異なるものである。上記の短ブリスル２は図１３（ａ）に示すように、ブリスル台４に設けられた短ブリスル連結基台９から突出して形成されており、上記短ブリスル２の先端はブリスル台４の円弧状の表面の頂上１０における接線５よりも突出させるように設けてある。上記突出量は図１３（ａ）にてＬ１で示してある。また上記接線５と短ブリスル２の設けられた位置におけるブリスル台４の円弧状の表面に対する接線６との間の交差する角度θは鋭角であるように設けてある。また上記短ブリスル連結基台９はブリスル台４から突出させて設けてあり、短ブリスル２間のピッチＰ２は長尺ブリスル１間のピッチＰ１よりも小さいものとなっている。
【００２９】
このようにヘアーセッターをヘアーブラシとして構成しても、第一の実施の形態のようにして毛髪１３を整髪するにあたり、短ブリスル２によって毛髪１３に効果的にテンションをかけて所望の形状に保持し、容易に整髪を行うことができるものである。
【００３０】
【発明の効果】
上記のように本発明の請求項１記載の発明にあっては、短ブリスル連結基台を、ブリスル台の両側端部において最も側方に配置された長尺ブリスル列と、前記長尺ブリスル列のすぐ内側に配置された長尺ブリスル列との間に、ブリスル台の表面よりも突出するように配置し、短ブリスル連結基台から突出して形成した軟質材料で構成した短ブリスルの先端がブリスル台の円弧状の表面の頂上における接線よりも突出させられたことを特徴としているので、毛髪取り込み側の短ブリスルで保持された毛髪の毛先は長尺ブリスルの中をブリスル台の円弧状の表面の頂上における接線上の軌跡を描きながら通り抜けてくるが、その接線上に突出した先端を有する他方の短ブリスルにより、そのままブラシ外に通り抜けようとする毛先を確実に捕らえることができるものであり、また短ブリスルの先端を所定の高さまで至らせるために行われる短ブリスル自体の長さの延長を極力行わないようにすることができ、短ブリスルの長さの延長に伴う耐久性の低下等を避けることができるものである。また、短ブリスルを隣接する短ブリスル同士が千鳥状になるように配列したので、毛髪と直交する方向に対する短ブリスルの見掛け上の間隔を小さくして密集度を大きくし、毛髪に短ブリスルにて効果的にテンションをかけることができるものである。
【００３１】
また本発明の請求項２に係るヘアーセッターは、請求項１の構成に加えて、短ブリスルの設けられた位置におけるブリスル台の円弧状の表面に対する接線とブリスル台の円弧状の表面の頂上における接線との間の交差する角度が鋭角であることを特徴としているので、ブリスル基台の円弧状の表面の曲率の変化に関わらず短ブリスルの先端をブリスル台の円弧状の表面の頂上における接線よりも突出させることが容易に行うことができ、毛髪を確実に捕らえることができるものである。
【００３２】
本発明の請求項３に係るヘアーセッターは、請求項１の構成に加えて、複数個の長尺ブリスルが並んだ長尺ブリスル列の長尺ブリスル間のピッチと比べて複数個の短ブリスルが並んだ短ブリスル列の短ブリスル間のピッチを小さいピッチにしたことを特徴としているので、長尺ブリスルで大きく捕らえた毛髪を短ブリスルで細かく分散化し、短ブリスル同士間の狭い隙間で挟み込むことで、捕らえた毛髪を保持することができ、毛髪に適度なテンションをかけて所望の形状に保持することにより毛髪を所望の形状に容易に整髪することができるものである。
【００３４】
本発明の請求項４に係るヘアーセッターは、請求項３の構成に加えて、短ブリスル列をブリスル台の円弧状の表面の頂上を境にしてブリスル台の断面円弧上において対称位置となるようにブリスル台に設けたことを特徴としているので、整髪をする際に毛髪の導入方向に関係なく毛髪を確実に捕らえて保持することができるものである。
【００３５】
本発明の請求項５に係るヘアーセッターは、請求項１乃至４のいずれかの構成に加えて、ブラシ体とグリップ体とを具備し、グリップ体に送風手段を設けて中空断面を持たせたブラシ体と連結させてブラシ体の外面に設けたブリスル台にブラシ体の中空部と繋がる吹出し孔を設けて、グリップ体から送風された風を上記吹出し孔から吐出させることを特徴としているので、毛髪を適度なテンションをかけて所望の形状に固定して更に効果的な整髪ができるものであり、また請求項３のようなピッチの小さい短ブリスルに毛髪を通して細分化した状態の毛髪に風を供給ことにより毛髪を効果的に乾燥させることもできる。
【図面の簡単な説明】
【図１】本発明のヘアーセッターの実施の形態の一例の要部を示し、図２のＡ−Ａで切断した断面図である。
【図２】本発明のヘアーセッターの実施の形態の一例を示す正面図である。
【図３】同上の実施の形態における短ブリスルブロックを示す平面図である。
【図４】（ａ）は図３の部分拡大図、（ｂ）は（ａ）のＢ−Ｂ断面図である。
【図５】（ａ）は同上の実施の形態における短ブリスルブロックにおける概念図、（ｂ）は（ａ）の側面図である。
【図６】同上の実施の形態における短ブリスル装着部分の拡大図である。
【図７】同上の実施の形態における短ブリスルの一部の拡大図である。
【図８】（ａ）および（ｂ）は同上の実施の形態における使用状態を示す説明図である。
【図９】同上の実施の形態における使用状態を示す正面説明図である。
【図１０】同上の実施の形態における使用状態を示す正面説明図である。
【図１１】同上の実施の形態における短ブリスル部分の使用状態を示す説明図である。
【図１２】本発明の他の実施の形態を示すものであり、（ａ）は正面図、（ｂ）は側面図、（ｃ）は平面図である。
【図１３】（ａ）は図１２の拡大平面図、（ｂ）は図１２の一部の拡大正面図である。
【図１４】従来技術を示すものであり、（ａ）は正面図、（ｂ）は（ａ）におけるブラシ体の側面図である。
【図１５】従来技術の使用状態を示す説明図である。
【符号の説明】
１  長尺ブリスル
２  短ブリスル
３  ブラシ体
４  ブリスル台
５  接線
６  接線
７  長尺ブリスル列
８  短ブリスル列
９  短ブリスル連結基台
１１  グリップ体
１２  吹出し孔
Ｌ１  突出量
Ｌ２  突出量
θ  角度
【図１】
0003870617.tif 000002
【図２】
0003870617.tif 000003
【図３】
0003870617.tif 000004
【図４】
0003870617.tif 000005
【図５】
0003870617.tif 000006
【図６】
0003870617.tif 000007
【図７】
0003870617.tif 000008
【図８】
0003870617.tif 000009
【図９】
0003870617.tif 000010
【図１０】
0003870617.tif 000011
【図１１】
0003870617.tif 000012
【図１２】
0003870617.tif 000013
【図１３】
0003870617.tif 000014
【図１４】
0003870617.tif 000015
【図１５】
0003870617.tif 000016